(57)【要約】【課題】  軸方向に小型化が可能となる車軸用軸受装置を提供すること。【解決手段】  外側部材１と、内側部材４と、転動部材７と、センサロータ１０と、センサロータを覆うカバー１２と、センサロータの被検出部１１に対向する検出端部１４を有する回転速度検出器１３とを備え、センサロータが内側部材の他端部側端面からカバー側に突出する円筒状であり該円筒部内周面に被検出部が形成された大径先端円筒部と内側部材に固定される小径円筒筒部と大径先端円筒部と小径円筒基部とを連結するフランジ部とを有し、回転速度検出器がカバーの内部に合成樹脂でモールドされて一体に固定された回転速度検出部と合成樹脂モールドから突出する検出端部とを有しこの検出端部と回転速度検出部とがセンサロータの被検出部に対し直交するようセンサロータの半径方向内側に配置されカバーとセンサロータの筒部と内側部材の他端部側端面とで囲まれる空間内に収容されている。【選択図】図１
2005121235.tif 000002
【特許請求の範囲】
【請求項１】
外周面に車体側への取り付け部を有しかつ内周面に複列の軌道を有する外側部材と、
一端部に車輪への取り付け部を有しかつ外周面に複列の軌道を有する内側部材と、
上記内、外側部材の複列軌道間にそれぞれ回転自在に配置された複数の転動部材と、
上記内側部材の他端部に固定され被検出部を有するセンサロータと、
上記内側部材の他端部側の外側部材に固定され上記内側部材及び上記センサロータを外部から遮断するように完全に覆うカバーと、
このカバーの内部に一体に固定され上記センサロータの被検出部に対向する検出端部を有する回転速度検出器とを、
備えた車軸用軸受装置であって、
上記センサロータが上記内側部材の他端部側端面から上記カバー側に突出する円筒状であるとともに該円筒部内周面に被検出部が形成された大径先端円筒部と上記内側部材に固定される小径円筒基部と上記大径先端円筒部と小径円筒基部とを連結するフランジ部とを有し、
かつ上記回転速度検出器が上記カバーの内部に合成樹脂でモールドされて一体に固定された回転速度検出部とこの合成樹脂のモールドから突出して上記センサロータの被検出部に対向する検出端部とを有しこの検出端部と上記回転速度検出部とが上記センサロータの被検出部に対し直交するようセンサロータの半径方向内側に配置され上記カバーと上記センサロータの筒部と上記内側部材の他端部側端面とで囲まれる空間内に収容されている、
ことを特徴とする車軸用軸受装置。
【発明の詳細な説明】
【技術分野】
【０００１】
この発明は、例えば自動車の車輪の回転速度を検出器により検出する車軸用軸受装置に関する。
【背景技術】
【０００２】
従来、車輪回転速度検出器を備えた車軸用軸受装置としては、特開平４−４３１３号公報のものが知られている。この軸受装置は、外周面に車体側への取り付け部を有しかつ内周面に複列の軌道を有する外側部材と、一端部に車輪への取り付け部を有しかつ外周面に複列の軌道を有する内側部材と、内側部材の一部をなす内側部分を固定するナットと、上記内、外側部材の複列軌道間にそれぞれ回転自在に配置された複数の転動部材と、上記内側部材の他端部に固定され被検出部を有するセンサロータと、上記内側部材の他端部側の外側部材に固定され上記内側部材及び上記センサロータを覆うカバーと、このカバーに固定され上記センサロータの被検出部に対向する検出端部を有する回転速度検出器とを備えている。そして、上記センサロータは、内側部材の外周面に固定される筒部とカバー側の側面に被検出部が形成された環状の半径方向フランジからなる断面Ｌ形とされ、また上記回転速度検出器は検出端部を上記被検出部に対向するよう上記カバーに軸方向に固定されている。
【０００３】
しかしながら、上記従来の車軸用軸受装置においては、センサロータ、回転速度検出器等の組み付け許容差が軸方向に累積されるため、センサロータの被検出部と回転速度検出器の検出端部との間の隙間をある程度大きく設定しておく必要があり、この結果、回転速度検出器の大型化につながる場合がある。また、軸端に固定したナットのため、回転速度検出器を径方向に配置することが困難であることから、軸方向に回転速度を検出する配置としたため、上記回転速度検出器の大型化と絡んで軸受装置全体が軸方向に小型化ができにくい。
【特許文献１】特開平４−４３１３号公報
【発明の開示】
【発明が解決しようとする課題】
【０００４】
そこで、この発明の目的は、軸方向に小型化が可能となる車軸用軸受装置を提供することにある。
【課題を解決するための手段】
【０００５】
上記課題を解決するための手段として、外周面に車体側への取り付け部を有しかつ内周面に複列の軌道を有する外側部材と、一端部に車輪への取り付け部を有しかつ外周面に複列の軌道を有する内側部材と、上記内、外側部材の複列軌道間にそれぞれ回転自在に、配置された複数の転動部材と、上記内側部材の他端部に固定され被検出部を有するセンサロータと、上記内側部材の他端部側の外側部材に固定され上記内側部材及び上記センサロータを覆うカバーと、このカバーに固定され上記センサロータの被検出部に対向する検出端部を有する回転速度検出器とを備えた車軸用軸受装置において、上記内側部材が、センサロータ固定部及び上記一方の外周軌道を有しセンサロータ固定部反対側端部が段付き部とされた第１内側部分と、上記車輪取り付け部及び上記他方の外周軌道を有し上記第１内側部分の段付き部に外嵌される第２内側部分とから形成されるとともに、上記第２内側部分が上記第１内側部分の端部に取り付けた固定部材にて上記段付き部に固定され、上記センサロータが上記第１内側部分から上記カバー側に突出する円筒状であるとともに該円筒部内周面に被検出部が形成され、かつ上記回転速度検出器が上記センサロータの筒部内部で被検出部に対し直交するよう半径方向に配置されていることを特徴とする。
【０００６】
上記構成からなる車軸用軸受装置は、センサロータ内部で径方向に回転速度検出器を配置したため、センサロータや回転速度検出器等の組み付け許容差が軸方向に累積されても、センサロータの被検出部と回転速度検出器の検出端部間の隙間に影響が殆どなく、該隙間を小さくできる。従って、回転速度検出器の小型化が可能となり、該検出器の半径方向配置と相まって軸受装置全体の軸方向の小型化が可能となる。
【発明の効果】
【０００７】
この発明にかかる車軸用軸受装置は、センサロータ内部で径方向に回転速度検出器を配置したため、センサロータや回転速度検出器等の組み付け許容差が軸方向に累積されても、センサロータの被検出部と回転速度検出器の検出端部間の隙間に影響が殆どなく、該隙間を小さくできる。従って、回転速度検出器の小型化が可能となり、該検出器の半径方向配置と相まって軸受装置全体の軸方向の小型化が可能となる。
【発明を実施するための最良の形態】
【０００８】
以下、この発明の具体的実施例について図面を参照して説明する。
【０００９】
図１は、この発明の一実施例である車軸用軸受装置の軸方向断面図である。すなわち、１は外側部材で、外周面１ａに図示しない車体に取り付けられる第１フランジ２を有しかつ内周面１ｂに複列の軌道３，３を有する。４は内側部材で、一端部に図示しない車輪に取り付けられる第２フランジ５を有しかつ外周面４ａに上記複列軌道３，３に対向する複列の軌道６，６を有する。７は外側部材１の軌道３，３と内側部材４の軌道６，６間に保持器８により保持されかつ回転自在に配置された転動部材である。
【００１０】
上記内側部材４は、第１内側部分４０と第２内側部分４１とから構成されている。第１内側部分４０は外周面に一方の上記軌道６が形成されるとともに、一端部にセンサロータ固定部４０ａが他端部に軸線と平行に延びる中実の小径段付き部４０ｂが形成されている。第２内側部分４１は外周面に他方の上記軌道６が形成されているとともに、上記第２フランジ５が形成されている。この第２内側部分４１は、上記第１内側部分４０の段付き部４０ｂに圧入嵌合され、この段付き部４０ｂの先端に設けられたねじ部４０ｃに締結固定されたナット９により上記段付き部４０ｂに固定されている。このようにして、第１及び第２内側部分４０，４１が組み合わされて上記内側部材４が構成されている。
【００１１】
なお、固定部材としては、ナット９による他、かしめによる突起や溶接等によるものも含まれる。
【００１２】
上記内側部材４の第１内側部分４０のセンサロータ固定部４０ａには、第１内側部分４０の端面４０ｄから突出する円筒状のセンサロータ１０が固定されている。センサロータ１０は、大径の先端円筒部１０ａとセンサロータ固定部４０ａに固定される小径円筒基部１０ｂと両円筒部１０ａ，１０ｂを連結するフランジ部１０ｃとから形成されている。また、上記大径円筒部１０ａには円筒等間隔に断面矩形状の多数の貫通穴が被検出部１１として形成されている。この被検出部１１は多数の歯により形成してもよく、従来周知の被検出部の構成を使用すればよいもので、少なくとも大径円筒部１０ａの内周面に被検出部１１が形成されていればよい。
【００１３】
上記内側部材４及び上記センサロータ１０を覆うカバー１２が外側部材１に固定されている。この外側部材１には、回転速度検出部１３がセンサロータ１０の内部にかつ被検出部１１に対し略直交するよう半径方向に配置されて固定されている。この回転速度検出器は合成樹脂でモールドされカバー１２と一体に成形され、出力端子のみがカバー１２から軸方向に突出している。１４は被検出部１１に対向して回転速度を検出するための検出端部である。上記回転速度検出器１３はナット９が内側部材４の反対側に位置しているため、干渉の恐れがなく、内側部材４に近づけて半径方向に設置することが可能である。
【図面の簡単な説明】
【００１４】
【図１】この発明にかかる一実施例である車軸用軸受装置の軸方向断面図である。
【符号の説明】
【００１５】
１    外側部材
４    内側部材
７    転動部材
９    ナット
１０    センサロータ
１１    被検出部
１２    カバー
１３    回転速度検出器
４０    第１内側部分
４０ａ  センサロータ固定部
４０ｂ  段付き部
４１    第２内側部分
【図１】
2005121235.tif 000003